(57)【要約】      （修正有）【課題】訓練効果と快適感を兼ね備え、使用者の運動量増加を図れる反発棒式足筋力訓練器を提供する。【解決手段】ベース１０上には下方へ及び外部へ傾斜する２個の下り傾斜軸心１５を設置し、しかも該２個の下り傾斜軸心１５にはそれぞれ１個のペダル２０を可動設置し、これにより該ペダルは下方へと踏み込まれると内側へと移動可能となり、さらに両側のペダル間には連動ユニット３０を設置し、該連動ユニットは両側のペダルの間に連結棒３２を設置し、該連結棒両端はペダルと接触、支持し、両側のペダルはそれぞれ抵抗力を提供可能な抵抗部品を備える。両側のペダルを踏むと、両側のペダルは上下交差連動を生じ、同時に、下方へと施力したペダルは内側へと偏移するため、使用者の重心はペダルの内側への偏移により縮小し、これにより使用者は運動過程中の平衡を保持するため、反射性のウエストひねり、臀部と腕振りの運動を生じる。【選択図】図２
0003150336.tif 000002
【実用新案登録請求の範囲】
【請求項１】
少なくともベースと、連動ユニットと、を含む反発棒式足筋力訓練器であって、
該ベースは相互に対応し、しかも下方へかつ外部へと傾斜する２個の下り傾斜軸心を備え、該各下り傾斜軸心上にはそれぞれ１個のペダルを可動設置し、これにより力を受け下方へと踏み込まれるペダルは下方へかつ内側へと偏移し、また該両側のペダル上には運動抵抗力を生じることができる抵抗部品を設置し、
該連動ユニットは該両側のペダルの間に設置し、該連動ユニットは該ベース上に可動設置する連結棒を備え、しかも該連結棒両端は相対するペダルに接触、かつ支持し、こうして該両側のペダルは交差運動を生じることを特徴とする、反発棒式足筋力訓練器。
【請求項２】
前記ベース前方には上方へと延伸するサポートフレームを設置し、可動設置される該２個のペダルの下り傾斜軸心は該サポートフレームの両側にそれぞれ設置し、該サポートフレーム頂端には上方へと延伸する手すりを別に設置することを特徴とする、請求項１記載の反発棒式足筋力訓練器。
【請求項３】
前記ペダルは下方へ、かつ外部へと傾斜する軸カバーを備え、該下り傾斜軸心上に可動設置されることを特徴とする、請求項１記載の反発棒式足筋力訓練器。
【請求項４】
前記抵抗部品は両端にユニバーサルジョイントを備える弾性体、気圧シリンダー、液圧シリンダーの何れか一つの部品から選択することができることを特徴とする、請求項１記載の反発棒式足筋力訓練器。
【請求項５】
前記連動構造の連結棒は該軸心を通して該ベース上に設置されることを特徴とする、請求項１又は２記載の反発棒式足筋力訓練器。
【請求項６】
前記ベース両側には手で引く引力訓練セットをそれぞれ設置し、該引力訓練セットは該ベース両側において使用者が握持する弾性ワイヤーをそれぞれ設置し、こうして腕力訓練の目的を達成することを特徴とする、請求項１記載の反発棒式足筋力訓練器。
【請求項７】
前記両側のペダルと下り傾斜軸心間には湾曲部分を形成し、該連動ユニットの連結棒両端は前記湾曲部分底縁に接触、しかもサポート可能で、これによりペダルの前後移動の行程距離を拡張することを特徴とする、請求項１記載の反発棒式足筋力訓練器。
【請求項８】
前記連動構造は運動行程と抵抗力を調節可能な連動調節装置から選択し、それは該ベース上に固定フレームを固設し、
該固定フレーム両側辺には長溝を開設し、しかも該固定フレーム中間にはスライドボルトを利用しスイング棒を可動設置し、
該スライドボルトは該長溝中に穿設可能で、
該スイング棒左右端は上方へと湾曲し、それぞれ左右ペダル下方に位置する頂点サポート部分を形成し、
該固定フレーム上には、スイング棒を駆動可能な調整螺合部品を螺設し、これにより、ペダルの運動行程と抵抗力を改変することを特徴とする、請求項１記載の反発棒式足筋力訓練器。
【請求項９】
前記ベース前方頂面の２個の相対位置は上方に向かう軸台を備え、該軸台頂端には傾斜した軸枠を設置し、該２個の軸枠上には下方へ、かつ外部へと傾斜する下り傾斜軸心をそれぞれ備え、該両側のペダルは該ベース両側の下り傾斜軸心上に可動設置し、こうして該連動構造の連結棒を通して交差連動を生じることを特徴とする、請求項１記載の反発棒式足筋力訓練器。
【請求項１０】
前記両側のペダル間に設置する連動ユニットはベース中段に設置し、しかも該連動ユニットは該ベース上に軸枠を固設し、該軸枠上には連結棒を可動設置し、該連結棒両端はそれぞれ相対するペダルに接触し支持することを特徴とする、請求項９記載の反発棒式足筋力訓練器。
【請求項１１】
前記両側のペダルとベースの間にはそれぞれ抵抗部品を設置し、該抵抗部品は該ペダルと該ベース間のバネとすることができ、これにより上方へと偏移するペダルは引き伸ばしの運動抵抗力を生じることを特徴とする、請求項１０記載の反発棒式足筋力訓練器。
【考案の詳細な説明】
【技術分野】
【０００１】
本考案は運動/アスレチックの技術領域に係り、特に訓練効果と快適感を兼ね備える反発棒式足筋力訓練器で、これにより使用者の運動量増加を図れる反発棒式足筋力訓練器に関するものである。
【背景技術】
【０００２】
従来、足踏み式健康器は、ベースの両側には交錯に上下動可能なペダルが設けられており、且つ各ペダルの下には減衰作用を発生するための油圧シリンダーが設けられている。なお、各ペダルは、ベースの両側に水平に枢着されているので、交錯に上下動することだけができ、ユーザは両足によってペダルを交錯に踏込むことだけができ、だから、鍛錬可能な部位は腿部だけである。
【０００３】
上記の問題を解決するために、ある足踏み式健康器は、二つのペダルをＹ字形を呈するフレームに枢着することにより、一つのペダルが踏込まれているときには、当該ペダルは下外へ斜めに移動され、このとき、他のペダルが上内へ斜めに移動され、そうすると、ユーザの重心が外側に拡がることになるので、このような足踏み式健康器に立っているユーザの重心が極めて安定し、そして運動している際に、ペダルによって腿部が下へ斜めに力を加えるので、腰部と臀部の筋肉も受動的に連動されるようになり、だから、腰部と臀部と腿部を同時に鍛錬することができる。
【０００４】
しかしながら、踏込まれているペダルが下外へ斜めに移動され、ユーザの重心が外側に拡がることになるので、このような足踏み式健康器に立っているユーザの重心が極めて安定し、そして運動している際に、ペダルによって腿部が下へ斜めに力を加えるが、腰部と臀部との筋肉が受動的に連動され、受動的な運動鍛錬効果はより低い。
【０００５】
従来のステップマシンは、２個のペダルの間に、非常に複雑な連構造を設置する必要があった。このため、そのコストは増大し、しかも組立ても不便で、改良が待たれていた。
本考案は、上記した従来のステップマシンの組立てと使用時に直面する、構造が複雑で、運動量が小さく、ステップが快適でない、という欠点に鑑みてなされたものである。
【考案の概要】
【考案が解決しようとする課題】
【０００６】
本考案が解決しようとする主要な課題は、ステップ運動過程中において主動性の腕振り、ウエストひねり運動を生じ、こうして運動量を大幅に増加させることができ、全体の訓練効果を向上させることができる反発棒式足筋力訓練器を提供することである。
【課題を解決するための手段】
【０００７】
上記課題を解決するため、本考案は下記の反発棒式足筋力訓練器を提供する。即ち、  反発棒式足筋力訓練器は  少なくともベース、連動ユニットを含み、該ベースは相互に対応し、しかも下方へかつ外部へと傾斜する２個の下り傾斜軸心を備え、該各下り傾斜軸心上にはそれぞれ１個のペダルを可動設置し、これにより力を受け下方へと踏み込まれるペダルは下方へかつ内側へと偏移し、また該両側のペダル上には運動抵抗力を生じることができる抵抗部品を設置し、該連動ユニットは該両側のペダルの間に設置し、該連動ユニットは該ベース上に可動設置する連結棒を備え、しかも該連結棒両端は相対するペダルに接触、かつ支持し、こうして該両側のペダルは交差運動を生じる。
【考案の効果】
【０００８】
本考案のステップマシンは運動過程中において、下方へと施力されたペダルは内側へと偏移し、使用者の重心はペダルの内側への偏移により縮小し、これにより使用者は運動過程中の平衡を保持するため、反射性のウエストひねり、臀部と腕振りの全身運動を生じ、しかも本考案は構造をシンプルにすることができる。
【図面の簡単な説明】
【０００９】
【図１】本考案の実施例１の分解斜視図である。
【図２】本考案の実施例１の全体斜視図である。
【図３】本考案の実施例２の全体概略図である。
【図４】本考案の実施例３の全体斜視図である。
【図５】本考案の実施例３の正面図である。
【図６】本考案の実施例４の全体斜視図である。
【図７】本考案の実施例５の全体斜視図である。
【図８】本考案の実施例６の全体斜視図である。
【考案を実施するための形態】
【００１０】
以下に図面を参照しながら本考案を実施するための最良の形態について詳細に説明する。
【実施例１】
【００１１】
本考案反発棒式足筋力訓練器は、図１に示すように、ベース１０を含む。該ベース１０は前方には上方へと延伸するサポートフレーム１１を設置し、しかも該サポートフレーム１１上には制御部品１２を設置する。該サポートフレーム１１頂端には上方へと延伸する手すりを別に設置する。該サポートフレーム１１両側にはそれぞれ下方へ、かつ外部へと傾斜する下り傾斜軸心１５を設置する。
【００１２】
該ベース１０の２個の下り傾斜軸心１５上にはそれぞれペダル２０を可動設置し、該両側のペダル２０には下方へ、かつ外部へと傾斜する軸カバー２１を設置し、下り傾斜軸心１５上に可動設置し、こうして力を受け下方へと踏み込まれるペダル２０は下方へと、しかも内側へと偏移する。
【００１３】
該下り傾斜軸心１５は両側のペダル２０の軸カバー２１外側に、嵌設部品２２を固設し、これにより該ペダル２０の滑脱を防止する。該両側のペダル２０は力を受け偏移する時、抵抗作用を備え、該ペダル２０と該ベース１０の間に抵抗部品２５を設置する。該抵抗部品２５は両端にユニバーサルジョイントを備える弾性体、気圧シリンダー、液圧シリンダー等である。
【００１４】
該両側のペダル２０間には連結棒３２を備える連動ユニット３０を設置し、これにより該両側のペダル２０は交差運動を生じる。該連結棒３２は前記ベース１０のサポートフレーム１１上に直接設置し、或いは軸心３１を通して該ベース１０のサポートフレーム１１上に設置される。該軸心３１はさらに選択性の移動機能を備え、しかも該連結棒３２両端にはそれぞれ平面を備えるクッションブロック３３を設置し、こうして該連結棒３２両端はクッションブロック３３を通して相対するペダル２０を接触、支持する。こうして組立てが容易で、快適性が高く、しかも運動量を増加させることができる反発棒式足筋力訓練器を構成する。
【００１５】
本考案の実際使用時には、図１、２に示すように、片方のペダル２０を下方へと踏み込むと、該力を受け踏み込まれたペダル２０は下方へと、しかも内側へと偏移し、しかも該ペダル２０の下方への移動時には、同時に連結棒３２を下圧する。こうして該連結棒３２の反対端は上方へと上がり、これにより同時に該連結棒３２は反対側のペダル２０を上方へと支え上げ、該未施力のペダル２０は上昇し、しかも外部へと偏移する。
【００１６】
こうして該下方へと施力されたペダル２０は、該抵抗部品２５の抵抗力を通して訓練効果を生じる。同時に、下方へと踏み込まれる時、該施力されたペダル２０は下方へ、かつ内側へと偏移し、これにより人体の重心面積は内側へと偏移することで縮小する。こうして使用者のステップ運動時の平衡感を改変するため、臀部と腰部等は反射性のスイング運動を生じる。その運動は主動性動作に属し、しかも幅が大きいため、その運動量を大幅に増大させることができ、同時に本考案の構造は簡単であるため、組立てが容易で、コスト低下の効果をも備える。
【実施例２】
【００１７】
本考案は別に多種の異なる実施が可能である。先ず、図３は本考案の実施例２の全体概略図である。同図に示すように、該ベース１０両側には手で引く引力訓練セット４０をそれぞれ設置し、該引力訓練セット４０は該ベース１０両側にフック体４２を備える固定部品４１をそれぞれ設置する。該フック体４２は対応する嵌合部品４６を備える弾性ワイヤー４５を係合し、しかも該弾性ワイヤー４５の反対端には、使用者が両手で握持可能なグリップ４７を備える。こうして同時に該引力訓練セット４０の弾性ワイヤー４５を引っ張り、腕力訓練の目的を達成することができる。
【実施例３】
【００１８】
図４、５はそれぞれ本考案の実施例３の全体斜視図、正面図である。図４、５に示すように、該ベース１０のサポートフレーム１１上には、軸心１６を穿設する。該軸心１６は該サポートフレーム１１の両端を穿出し、それぞれ下方へ、かつ外部へと傾斜する下り傾斜部分１６０を備える。該ペダル２０の軸カバー２１は前記下り傾斜部分１６０上に可動設置し、嵌設部品１７を利用し、ペダル２０の滑脱を防止する。
【００１９】
該連動ユニット３０の軸心３１は該サポートフレーム１１上に可動設置し、しかも該軸心３１上には感応部品３１０を備える。該サポートフレーム１１の制御部品１２は、該軸心３１上の感応部品３１０に対応する感応棒１２０を備え、しかも該連動ユニット３０の連結棒３２両端には、それぞれ球クッションブロック３４を可動設置する。しかも該軸心３１と該制御部品１２は対応する感応部品３１０と感応棒１２０を備えるため、該制御部品１２がカウントするための計算の基礎とすることができる。
【実施例４】
【００２０】
図６は本考案の実施例４の全体斜視図である。図６に示すように、両側のペダル２０は該軸カバー２１を通して該ベース１０サポートフレーム１１両側の下り傾斜軸心１５に可動設置し、しかも該ペダル２０と該軸カバー２１間には湾曲部分２００を形成し、該連動ユニット３０の連結棒３２両端の球クッションブロック３４は、前記ペダル２０の湾曲部分２００底縁に適度に接触し、しかも支える。これにより該ペダル２０の前後移動の行程距離を拡張し、さらに該ペダル２０の抵抗部品２５は該ベース１０後方に可動接続し、より良い運動抵抗力を提供することができる。
【実施例５】
【００２１】
図７は本考案の実施例５の全体斜視図である。図７に示すように、それは運動行程と抵抗力を調整可能で、該ベース１０のサポートフレーム１１両側には、外側表面に傾斜状を形成する固定部品１３をそれぞれ設置する。該各固定部品１３は下方へ、かつ外部へと傾斜する下り傾斜軸心１５をそれぞれ設置し、該左右両側のペダル２０は該軸カバー２１を利用し、各自対応する下り傾斜軸心１５上に可動設置する。
【００２２】
その特徴は、該両側のペダル２０間に運動行程と抵抗力を調節可能な連動調節装置５０を設置することである。該連動調節装置５０は該ベース１０中段に中空の固定フレーム５１を固設し、該固定フレーム５１両側辺には長溝５１２を相対し開設する。しかも該固定フレーム５１中間は、スライドボルト５４を利用しスイング棒５２を可動設置する。該スライドボルト５４は該固定フレーム５１の長溝５１２中に穿設する。
【００２３】
該スイング棒５２の左右端は上方へと湾曲し、それぞれ該左右ペダル２０下方に位置する頂点サポート部分５２１を形成する。該スイング棒５２の頂点サポート部分５２１には、該ペダル２０に接触し支持するカバークッション５３を備える。該固定フレーム５１上には該スイング棒５２を駆動可能な調整螺合部品５５を螺設する。該調整螺合部品５５は該スイング棒５２を調節連動し、該固定フレーム５１に沿って上下にスライドさせ、これにより該ペダル２０の運動行程と抵抗力を改変する。
【実施例６】
【００２４】
図８は本考案の実施例６の全体斜視図である。図８に示すように、該ベース１０の前方頂面の２個の相対位置は、上方へと軸台６０を形成する。該軸台６０頂端には傾斜設置の軸枠６２を備える。該２個の軸枠６２上にはそれぞれ下方へ、かつ外部へと傾斜する下り傾斜軸心６５を備え、該ペダル２０は該軸カバー２１を通して該ベース１０両側の下り傾斜軸心６５上に可動設置し、しかも該ベース１０中段の該両側のペダル２０間には連動ユニット７０を設置する。
【００２５】
該連動ユニット７０は該ベース１０上に軸枠７１を固設し、しかも該軸枠７１上には可動連結棒７２を設置する。該連結棒７２両端は相対するペダル２０にそれぞれ接触、支持し、該連結棒７２両端底面には、それぞれ該ベース１０に対応するクッションブロック７３を備え、これにより該ペダル２０が下方へ向かう時の緩衝の役割を果たす。さらに該両側のペダル２０と該ベース１０の間には、抵抗部品２６を設置し、該抵抗部品２６は該ペダル２０と該ベース１０間にバネを設置することができ、これにより上方へと偏移するペダル２０は引き伸ばしの運動抵抗力を生じる。
【００２６】
本考案は具体の実施例を上記の通り開示したが、これらは最適実施例に過ぎず、本考案を限定するものではない。当該技術を熟知する者なら誰でも、本考案の製品と領域を脱しない範囲内で各種の変動や潤色を加えることができ、したがって本考案の保護範囲は、実用新案登録請求の範囲で指定した内容を基準とする。
【符号の説明】
【００２７】
１０        ベース
１１        サポートフレーム
１２        制御部品
１２０      感応棒
１３        固定部品
１５        下り傾斜軸心
１６        軸心
１６０      下り傾斜部分
１７        嵌設部品
２０        ペダル
２００      湾曲部分
２１        軸カバー
２２        嵌設部品
２５        抵抗部品
２６        抵抗部品
３０        連動ユニット
３１        軸心
３１０      感応部品
３２        連結棒
３３        クッションブロック
３４        球クッションブロック
４０        引力訓練セット
４１        固定部品
４２        フック体
４５        弾性ワイヤー
４６        嵌合部品
４７        グリップ
５０        連動調整ユニット
５１        固定フレーム
５１２      長溝
５２        スイング棒
５２１      頂点サポート部分
５３        カバークッション
５４        スライドボルト
５５        調整螺合部品
６０        軸台
６１        軸枠
６５        下り傾斜軸心
７０        連動ユニット
７１        軸枠
７２        連結棒
７３        クッションブロック
【図１】
0003150336.tif 000003
【図２】
0003150336.tif 000004
【図３】
0003150336.tif 000005
【図４】
0003150336.tif 000006
【図５】
0003150336.tif 000007
【図６】
0003150336.tif 000008
【図７】
0003150336.tif 000009
【図８】
0003150336.tif 000010